(57)【要約】【課題】  洗面台、流し台等の配設器機の高さの高低、昇降の変更に左右されない、そして施工位置ズレの調整吸収をする配管に係る接続継手に関する【解決手段】  所望長さの管両端を曲折して接続短管が設けられた継手用管を形成し、この各接続短管には回転可能とする接続部を構成し、少なくとも２本の継手用管がこの相互に向い合う接続短管を回転自在とする折曲接続部分を構成し、接続される複数継手用管が折曲伸縮可能とする配管に係る接続継手である。【選択図】図１
2007138674.tif 000002
【特許請求の範囲】
【請求項１】
所望長さの管両端を曲折して接続短管が設けられた継手用管を形成し、この各接続短管には回転可能とする接続部を構成し、少なくとも２本の継手用管がこの一方の相互に向い合う接続短管を回転自在とする折曲接続部分を構成し、他方の相互の接続部の回転平面を平行面とする構成にし、接続される複数継手用管が折曲伸縮を可能とすることを特徴とする配管に係る接続継手。
【請求項２】
所望長さの管両端を曲折して接続短管が設けられた継手用管を形成し、この各接続短管には回転可能とする接続部を構成し、少なくとも２本の継手用管が一方の相互に向い合う接続短管を回転自在とする折曲接続部分を構成し、他方の相互の接続部の回転平面が互いに９０度の補角の関係にある平面とする構成にし、接続される複数継手用管が折曲伸縮を可能とすることを特徴とする。配管に係る接続継手。
【請求項３】
所望長さの継手用管に４５度曲折の接続短管が設けられたことを特許とする特許請求項１乃至２記載の配管に係る接続継手。
【請求項４】
所望長さの管両端を同一方向へ直角に曲折して接続短管が設けられた継手用管を形成したことを特徴とする請求項１記載の配管に係る接続継手。
【請求項５】
継手用管の一方の接続短管の上流側接続部には環状断面く字形パッキンが嵌挿された内周環状溝を形成し、他方の接続短管の下流側接続部には他の継手用管の接続短管の内周環状溝に嵌合係止する外周突起を形成してなることを特徴とする請求項１乃至４記載の配管に係る接続継手。
【請求項６】
接続された複数継手用管の折曲接続部分が折曲伸縮を可能とし、この一方の継手用管の上流側接続短管を排水トラップとの接続の接続管と回転可能な接続部とし、他方の継手用管の下流側接続短管を下水管との接続の下水接続管と回転可能な接続部とすることを特徴とする請求項１乃至５記載の配管に係る接続継手。
【請求項７】
少なくとも２本の継手用管がこの相互に向い合う接続短管を回転自在とする折曲接続部分として構成し、この一方の継手用管の上流側接続短管を排水トラップに接続する水平面の回転平面とする接続部が設けられた接続管との回転可能な接続部とし、他方の継手用管の下流側接続短管を下水管との接続の下水接続管と回転可能な接続部とする、接続された複数継手用管の折曲伸縮を可能とするとともに施工位置ズレを調整可能とすることを特徴とする請求項１乃至５記載の配管に係る接続継手。
【請求項８】
所望長さの管両端を４５度に曲折し、且つこの相互を９０度の偏向とする接続短管が設けられた継手用管を形成し、少なくとも３本の継手用管が相互に向い合う接続短管同志を回転自在とする折曲接続部分とし、一方の継手用管の上流側接続短管を排水トラップとの接続の接続管の４５度に曲折した端部との回転可能な接続部とするとともに、他方の継手用管の下流側接続短管を下水管との接続の下水接続管の４５度に曲折した端部との回転可能な接続部とし、接続された複数継手用管の折曲伸縮を可能とするとともに、施工位置ズレを調整可能とすることを特徴とする配管に係る接続継手。
【発明の詳細な説明】
【技術分野】
【０００１】  本発明は、配管に係る接続継手に関するものであって、詳しくは洗面台（洗面化粧台、洗面洗髪化粧台など）、流し台等における排水管の配管に係る接続継手に関するものである。
【背景技術】
【０００２】  洗面台、流し台等における排水管の配管は、排水トラップ等の排水管が下水管に接続継手を介して接続されている。【０００３】  排水トラップは、下水管側からの臭気の逆流等を防止するためのものであり、従来から、金属材や硬質の合成樹脂材で成形されていた。
そして、排水トラップから下水管に接続する接続継手も、金属材、又は硬質の合成樹脂材で形成されるのが一般的であった。
そこで、金属材や硬質の合成樹脂であるために現場で施工する際には、接続継手の位置と下水管の位置が食い違う配管の施工位置ズレを生じ、現場施工がうまくいかず、配管工事が難行を余儀なくされていた。【０００４】  この排水トラップを下水管に接続する配管施工には、洗面台、流し台等の配設器機が、現在では、標準型ばかりでなく、高さの高いもの、低いもの、昇降するもの等があり、これらに対応できるように伸縮し、その上、上記の配管の施工位置ズレを調節しなければならないことが、往々であった。【０００５】  そこで、排水トラップと下水管との接続する接続継手を、洗面台、流し台等の昇降、及び高さに応じて伸縮でき、また施工位置ズレも調整補修できるようにする、蛇腹状のフレキシブルチューブにされたものがあった。
蛇腹状フレキシブルチューブは、流し台、洗面台の高低への昇降位置設定に応じて伸縮し、且つ施工位置ズレを屈曲することで調整補修し、確実な接続を可能にしている。（例えば、
【特許文献１】）
【０００６】  また、接続継手を水平方向、並びに上下方向へ、長さの調節が出来るようにして施工位置ズレを調整補修するものがある。
この接続継手は、横管部を長手にした横長Ｌ字状管と、縦管部を長手にした縦長Ｌ字状管とでなり、この横長Ｌ字状管の長手の横管部を縦長Ｌ字状管の横管部における管受部に挿入固定してなるものであって、その横長Ｌ字状管の縦管部を槽体側の接続部に接続し、縦長Ｌ字状管の長手の縦管部を下水管側の管受部に挿入固定して接続するものである。
そして、横方向の長さの調節は横長Ｌ字状管の長手の横管部の端が切落されることで、また縦方向の長さの調節は縦長Ｌ字状管の長手の縦管部の端が切落されることで行なわれている。（例えば、
【特許文献２】）
【０００７】
【特許文献１】  実開昭６３−８３０４４号公報（図６、図７、図１４）
【特許文献２】  特開２００４−２５７１４４号公報
【発明の開示】
【発明が解決しようとする課題】
【０００８】  配管に係る接続継手が、従来からある蛇腹状フレキシブルチューブである場合は、配設器機の位置ズレによる水平方向、配設器機の高低による上下方向の施工配管誤差、及び配設器機の昇降があったとしても、蛇腹状フレキシブルチューブの伸縮、屈曲でこれらを吸収し、結局、排水トラップと下水管とを容易に接続することができるが、しかし、蛇腹状フレキシブルチューブが軟質であるために潰れ易く、またその接続部における止水性が軟質であるために困難であった。
その上、蛇腹状フレキシブルチューブは、フレキシブル性を得るための蛇腹状を呈し、内周面が凹凸し、平滑でなく、該凹凸内周面に排水汚れが溜り、管閉塞の原因や流路面積を縮小させる虞れがあった。【０００９】  だからといって、横管部を長手にした横長Ｌ字状管と縦管部を長手にした縦長Ｌ字状管とでなり、この横長Ｌ字状管の長手の横管部を縦長Ｌ字状管の横管部における管受部に挿入固定してなる構成の接続継手が採用されて、横長Ｌ字状管の長手の横管部、縦長Ｌ字状管の長手の縦管部の端が随時、切落されて、水平方向の施工位置ズレ、上下方向の設定器機の高さによる高低変更ズレを吸収し、且つ管内周面を平滑にすることができたとしても、現場においての長手の横長Ｌ字状管の横管部、縦長Ｌ字状管の縦管部を位置ズレ調整しながら切断しなければならず、このことは至難の業であった。
また、洗面台、流し台等の配設器機の昇降に対応できる接続継手ではなかった。
【課題を解決するための手段】
【００１０】  本発明は、洗面台、流し台等の配設器機の高さの高低、昇降の変更に左右されない、そして施工位置ズレの調整吸収をする配管に係る接続継手に関するものである。【００１１】  請求項１記載の本発明の配管に係る接続継手は、所望長さの管両端を曲折して接続短管が設けられた継手用管を形成し、この各接続短管には回転可能とする接続部を構成し、少なくとも２本の継手用管がこの一方の相互に向い合う接続短管を回転自在とする折曲接続部分を構成し、他方の相互の接続部の回転平面を平行面とする構成にし、接続される複数継手用管が折曲伸縮を可能とするものである。【００１２】  請求項２記載の本発明の配管に係る接続継手は、所望長さの管両端を曲折して接続短管が設けられた継手用管を形成し、この各接続短管には回転可能とする接続部を構成し、少なくとも２本の継手用管が一方の相互に向い合う接続短管を回転自在とする折曲接続部分を構成し、他方の相互の接続部の回転平面が９０度の補角の関係にある平面とする構成にし、接続される複数継手用管が折曲伸縮を可能とするものである。【００１３】  請求項３記載の本発明の配管に係る接続継手は、所望長さの継手用管に４５度曲折の接続短管が設けられたことを特徴とするものである。【００１４】  請求項４記載の本発明の配管に係る接続継手は、所望長さの管両端を同一方向へ直角に曲折して接続短管が設けられた継手用管を形成したことを特徴とするものである。【００１５】  請求項５記載の本発明の配管に係る接続継手は、継手用管の一方の接続短管の上流側接続部には環状断面く字形パッキンが嵌挿された内周環状溝を形成し、他方の接続短管の下流側接続部には他の継手用管の接続短管の内周環状溝に嵌合係止する外周突起を形成してなることを特徴とするものである。【００１６】  請求項６記載の本発明の配管に係る接続継手は、所望長さの管両端を曲折して接続短管が設けられた継手用管を形成し、この各接続短管には回転可能とする接続部を構成し、少なくとも２本の継手用管がこの一方の相互に向い合う接続短管を回転自在とする折曲接続部分を構成し、接続された複数継手用管の折曲接続部分が折曲伸縮を可能とし、この一方の継手用管の上流側接続短管を排水トラップとの接続の接続管と回転可能な接続部とし、他方の継手用管の下流側接続短管を下水管との接続の下水接続管と回転可能な接続部とすることを特徴とするものである。【００１７】  請求項７記載の本発明の配管に係る接続継手は、少なくとも２本の継手用管がこの相互に向い合う接続短管を回転自在とする折曲接続部分を構成し、この一方の継手用管の上流側接続短管を排水トラップに接続する水平面の回転平面とする接続部が設けられた接続管との回転可能な接続部とし、他方の継手用管の下流側接続短管を下水管との接続の下水接続管と回転可能な接続部とする、接続された複数継手用管の折曲伸縮を可能とするとともに施工位置ズレを調整可能とすることを特徴とするものである。【００１８】  請求項８記載の本発明の配管に係る接続継手は、所望長さの管両端を４５度に曲折し、且つこの相互を９０度の偏向とする接続短管が設けられた継手用管を形成し、少なくとも３本の継手用管が相互に向い合う接続短管同志を回転自在とする折曲接続部分とし、一方の継手用管の上流側接続短管を排水トラップとの接続の接続管の４５度に曲折した端部との回転可能な接続部とするとともに、他方の継手用管の上流側接続短管を下水管との接続の下水接続管の４５度に曲折した端部に回転可能な接続部とし、接続された複数継手用管の折曲伸縮を可能とするとともに、施工位置ズレを調整可能とすることを特徴とするものである。
【発明の効果】
【００１９】  本発明の配管に係る接続継手は、洗面台、流し台など配設器機の昇降に追従して、自由に折曲、伸縮し、また、配設器機の高さが標準型ばかりでなく、高いもの、低いものがあったとしても、この配管に係る接続継手が折曲伸縮して位置設定でき、施工位置ズレを修整することができる。したがって、接続継手の折曲伸縮、位置ズレ調整の可能なことは、施工工事で行なわれていた管の長さの調整で切断をしなければならなかった作業を必要とせず、取扱いが便宜である。
そして、接続継手は硬く、内周面が平滑であるので、潰れることがなく、管閉塞の原因となる排水汚れの溜りを生ずることなく、また、接続部が回転容易で、且つ止水性が良好である。
【発明を実施するための形態】
【００２０】  本発明の構成を図面に基いて説明すると次のとおりである。
【実施例１】
【００２１】  洗面台の排水栓Ａに接続された排水トラップＢと下水管Ｃとを接続する排水管の配管に係る接続継手１である。（図１）
接続継手１は、少なくとも２本の継手用管２で構成され、この継手用管２の相互に向い合う回転自在とする折曲接続部分３で折曲伸縮する。【００２２】  これら一方の継手用管２の上流側接続短管は、排水トラップＢに挿入回転可能な接続をする接続管４との回転可能にした接続部５とし、他方の継手用管２の下流側接続短管は、下水管Ｃに挿入回転可能な接続をする下水接続管６との回転可能にした接続部７とし、これら接続部５、７の回転平面５１、７１を互いに平行面とする構成にする。（図３）【００２３】  図１、図２、及び図３は、接続継手１の折曲接続部分３、この上流側又は下流側の両接続部５、７の回転平面３１、５１、７１を同一平面にしたものを示し、折曲伸縮が支障なく容易に出来るようになっている。【００２４】  図２は、接続継手１を折曲縮小した場合を示し、図４は、排水トラップＢの立ち上がり部を４５度偏向させ、接続継手１の折曲伸縮に際し、当接故障を起さないようにしているものを示している。【００２５】  排水トラップＢと接続継手１の接続管４とは、連結部８で接続され、排水トラップの端部に設けた挿込受部８１を形成し、この挿込受部８１に接続継手１が接続された接続管４の先端を嵌挿させ、挿込受部８１のその外周に形成された螺条にナット９を螺合し、パッキン８２を介してナット９が螺子締めされることによって、接続管４の緩み抜けを生じないようにしている。【００２６】  接続継手１の継手用管２は、所望長さの管であり、この両端には曲折した接続短管１１、１２が設けられ、折曲回転可能とする折曲接続部分３、及び回転可能とする接続部５、７を構成する。（図５）【００２７】  継手用管２は、この両端を折曲した接続短管１１、１２が設けられ、一方の上流側接続短管１１には環状断面く字形パッキンＰが嵌挿される内周環状溝１１１を形成し、他方の下流側接続短管１２には接続される他の継手用管の内周環状溝に嵌合係止する外周突起１２１を形成している。（図５、図６）【００２８】  図５、図６は、継手用管２が、その両端を同一方向へ直角に曲折した接続短管１１、１２を形成するものである。【００２９】  このような継手用管２の少なくとも２本を接続し、一方の継手用管２の下流側接続短管１２に形成する外周突起１２１が他方の継手用管の上流側接続短管１１に形成する内周環状溝１１１に環状断面く字形パッキンＰを嵌挿した上で嵌合係止されて折曲接続部分３を構成する。（図１、図２、図３）【００３０】  排水トラップＢに接続された接続管４が、それに形成された外周突起１２１を継手用管２の上流側接続短管１１の内周環溝１１１に断面く字形パッキンＰを嵌挿した上で嵌合係止されてシール、且つ回転可能な接続部５を形成している。【００３１】  下水管Ｃと接続の下水接続管６の上流側内周環状溝１１１に環状断面く字形パッキンＰを嵌挿した上で、継手用管２の下流側接続短管１２を嵌合させ、その外周突起１２１で係止させ、シール且つ回転可能な接続部７を形成している。【００３２】  継手用管２ａ、２ｂは、図７、図８に示す如く、一方端が直角に曲折した接続短管１１、１２を、他方端が４５度に曲折した接続短管２１、２２を形成するものである。【００３３】  継手用管２ａと継手用管２ｂとは、直角に曲折した接続短管１２、接続短管１１同志を接続し、直角に曲折した接続短管１２に設けた外周突起１２１が直角に曲折した接続短管１１に設けた内周環状溝１１１へ嵌合係止されて回転自在の折曲接続部分３を形成する。
一方の継手用管２ａの４５度に曲折した接続短管２１は、排水トラップＢ側接続管４ａの４５度に曲折した端部に回転可能に接続して、接続部５ａを形成し、他方の継手用管２ｂの４５度に曲折した接続短管２２は、下水接続管６ａの４５度に曲折した端部に回転可能に接続して、接続部７ａを形成する。
これらの接続部５ａ、７ａは、折曲接続部分３と同様に内周環状溝２１１に環状断面く字形パッキンＰを嵌挿した上で外周突起２２１が嵌合係止されている。【００３４】  よって、この接続継手によれば、図９で示す如く、接続部５ａ、７ａの回転平面５１ａ、７１ａを互いに平行面にし、継手用管２ａ、２ｂが折曲接続部分３で折曲回転すると、それに伴ない接続部５ａ、７ａで互いが捩れ回転しながらの伸縮をする。【００３５】  図１０によって、折曲接続部３、接続部５、７、５ａ、７ａに用いられるパッキンＰを示す。このパッキンＰは、断面が両端を外周へ末広がり状にした環状断面く字形パッキンであり、突出している舌部Ｐ１、Ｐ２、Ｐ３で止水性を向上させている。
【実施例２】
【００３６】  継手用管２ｃは、所望長さの管にこの両端を互いに曲折して接続短管２１、２３が設けられている。これらの接続短管の曲折角度は、一方の接続短管２１の曲折角度ａに対して、他方の接続短管２３の曲折角度ｂを９０度の補角となるように形成し、その相互の接続短管２１、２３を９０度偏向するものである。（図１１、図１２）【００３７】  図１１、図１２で示すように、継手用管２ｃは、この両端を４５度に曲折した接続短管２１、２３が設けられ、これら接続短管２１、２３を互いに９０度偏向している。
継手用管２ｃの上流側接続短管２１には、環状断面く字形パッキンＰが嵌挿される内周環状溝２１１を形成し、下流側接続短管２３には、接続される他の継手用管の内周環状溝に嵌合係止する外周突起２３１を形成している。【００３８】  このような継手用管２ｃの少なくとも２本を接続し、一方の継手用管２ｃの下流側接続短管２３に形成する外周突起２３１が他方の継手用管２ｃ上流側接続短管２１に形成する内周環状溝２１１に環状断面く字形パッキンＰを嵌挿した上で嵌合係止されて折曲接続部分３１を構成する。（図１３）
そして、一方の継手用管２ｃのａ度曲折した上流側接続短管２１は、排水トラップ側接続管の９０度のその補角ｂ（９０度−ａ度）の曲折角度に曲折した端部に接続して回転可能な接続部５ｂを形成し、他方の継手用管２ｃのｂ度曲折した接続短管２３は、下水接続管のａ度（９０度−ｂ度）に曲折した端部に接続して回転可能な接続部７ｂを形成し、これら接続部によって伸縮を可能にしている。【００３９】  よって、この接続継手によれば、接続部５ｂ、７ｂの回転平面５１ｂ、７１ｂは、互いに９０度の補角の関係にあるものとする。
例えば、２本の接続された継手用管２ｃ、２ｃの一方の継手用管の接続短管２１の接続部５ｂの回転平面５１ｂがｂ度であれば、他方の継手用管の接続短管２３の接続部７ｂの回転平面７１ｂがａ度で、ｂ度による９０度の補角となる（ａ度＋ｂ度＝９０度）【００４０】  したがって、図１３に示す如く、接続された一方の継手用管の上流側接続短管２１の曲折角度が４５度であれば、他方の継手用管の下流側接続短管２３の曲折角度ｂ度が同じく４５度となり、相互の接続部５ｂ、７ｂの回転平面５１ｂ、７１ｂはともに４５度となり、互いの回転平面５１ｂ、７１ｂは、９０度の交叉をすることになる。
【実施例３】
【００４１】  所望長さの管両端を４５度曲折し、且つこの相互を９０度に偏向する接続短管２１、２３が設けられた継手用管２ｃを形成し、この少なくとも３本の継手用管２ｃが相互に向い合う接続短管同志を接続し、回転自在とする折曲接続部分３１として少なくとも２ヶ所形成する。（図１４）【００４２】  一方の継手用管２ｃの上流側接続短管２１を排水トラップＢとの接続の接続管４ａと接続して接続部５ｂを形成し、この接続部５ｂは、継手用管２ｃの上流側接続短管の４５度の回転平面に対して接続管４ａの端部にも回転平面を４５度（継手用管の接続短管の角度に対して９０度の補角となる角度）とする回転平面を形成する。【００４３】  また、他方の継手用管２ｃの下流側接続短管２３を下水管Ｃとの接続の下水接続管６ａと接続して接続部７ｂを形成し、この接続部７ｂは、継手用管２ｃの下流側接続管の４５度の回転平面に対して、下水接続管６ａの端部による回転平面を４５度（継手用管の接続短管の角度に対して９０度の補角になる角度）とする回転平面を形成する。【００４４】  よって、継手用管２ｃは、スイングしながら、折曲接続部分３１で折曲伸縮し、また、施工位置ズレの修整を可能とする。
【実施例４】
【００４５】  所望長さの管両端を曲折して接続短管が設けられた継手用管２を形成し、この各接続短管には回転可能とする接続部を構成し、少なくとも２本の継手用管２が、この一方の相互に向い合う接続短管を回転自在とする折曲接続部分３を構成し、他方の上流側接続短管を排水トラップＢへの接続の接続管４との接続部５とし、下流側接続短管を下水管Ｃへの接続の下水接続管６との接続部７とする。（図１５）【００４６】  この排水トラップＢへの接続の接続管４は、エルボ４１と継ぎ管４２とで構成し、該エルボ４１と継ぎ管４２とは、相互の端部を接続して水平平面で回転する回転平面を有する接続部１０を形成する。
そして、エルボ４１の上流側端部は、排水トラップＢの端部の挿込受部８１に嵌挿し、パッキン８２を介してナット９で螺子締めされて、エルボ４１の緩み抜けを防止している。
また、継ぎ管４２は、下流側端部を継手用管２との接続部５の回転平面角度の補角とする回転平面になるよう形成する。【００４７】  よって、継手用管２が折曲接続部分３での折曲伸縮をすると同時に、エルボ４１を介入した接続管４の水平回転平面で施工位置ズレの修整をすることができる。【００４８】  なお、図１５は、両端を９０度に曲折した接続短管１１、１２による継手用管２の接続による接続継手を示したものであるが、これに限定されることなく、図９に示す、一端を４５度に、他端を９０度に曲折した接続短管２１、２２、１１、１２による継手用管２ａ、２ｂによってもよいし、図１３に示す、両端を４５度に曲折した接続短管２１、２３による継手用管２ｃによってもよいことは云うまでもない。
【図面の簡単な説明】
【００４９】
【図１】  配管に係る接続継手の折曲伸長状態図である。
【図２】  配管に係る接続継手の折曲縮小状態図である。
【図３】  接続継手の折曲縮小状態における縦断面図である。
【図４】  排水トラップの偏向状態を表す上視図である。
【図５】  継手用管の説明の為の断面図である。
【図６】  継手用管の側視図である。
【図７】  継手用管の説明のための断面図である。
【図８】  継手用管の断面図である。
【図９】  接続継手の折曲縮小状態における縦断面図である。
【図１０】  接続部に嵌挿されるパッキンの断面図である。
【図１１】  両端を４５度に曲折し、且つその相互を９０度に偏向した接続短管を設けた一部断面の継手用管の正面図である。
【図１２】  両端を４５度に曲折し、且つその相互を９０度に偏向した接続短管を設けた一部断面の継手用管の側面図である。
【図１３】  両端を４５度に曲折し、且つその相互を９０度に偏向した接続短管を設けた継手用管の２本を接続した状態の説明図である。
【図１４】  両端を４５度曲折し、且つ相互を９０度偏向した接続短管が設けられた排水用管を３本接続してなる接続継手の伸縮状態図である。
【図１５】  排水トラップに接続の接続管に水平な回転平面を有する接続部を設けた、接続継手の状態図である。
【符号の説明】
【００５０】１                      接続継手
２、２ａ、２ｂ、２ｃ    継手用管
３、３１                折曲接続部分
４、４ａ                接続管
５、５ａ、５ｂ          接続部
６、６ａ                下水接続管
７、７ａ、７ｂ          接続部
８                      連結部
９                      ナット
１０                    接続部
１１、１２              接続短管
２１、２２、２３        接続短管
１１１                  内周環状溝
１２１                  外周突起
４１                    エルボ
４２                    継ぎ管
Ａ                      排水栓
Ｂ                      排水トラップ
Ｃ                      下水管
【図１】
2007138674.tif 000003
【図２】
2007138674.tif 000004
【図３】
2007138674.tif 000005
【図４】
2007138674.tif 000006
【図５】
2007138674.tif 000007
【図６】
2007138674.tif 000008
【図７】
2007138674.tif 000009
【図８】
2007138674.tif 000010
【図９】
2007138674.tif 000011
【図１０】
2007138674.tif 000012
【図１１】
2007138674.tif 000013
【図１２】
2007138674.tif 000014
【図１３】
2007138674.tif 000015
【図１４】
2007138674.tif 000016
【図１５】
2007138674.tif 000017
【手続補正書】
【提出日】平成18年3月10日(2006.3.10)
【手続補正１】
【補正対象書類名】特許請求の範囲
【補正対象項目名】全文
【補正方法】変更
【補正の内容】
【特許請求の範囲】
【請求項１】
所望長さの管両端を曲折して接続短管が設けられた継手用管を形成し、この各接続短管には回転可能とする接続部を構成し、少なくとも２本の継手用管がこの一方の相互に向い合う接続短管を接続して回転自在とする折曲接続部分を構成し、他方の相互の接続部の回転平面を平行面とする構成にし、接続される複数継手用管が折曲伸縮を可能とすることを特徴とする配管に係る接続継手。
【請求項２】
所望長さの管両端を曲折して接続短管が設けられた継手用管を形成し、この各接続短管には回転可能とする接続部を構成し、少なくとも２本の継手用管が一方の相互に向い合う接続短管を接続して回転自在とする折曲接続部分を構成し、他方の相互の接続部の回転平面が互いに９０度の補角の関係にある平面とする構成にし、接続される複数継手用管が折曲伸縮を可能とすることを特徴とする配管に係る接続継手。
【請求項３】
所望長さの継手用管に４５度曲折の接続短管が設けられたことを特許とする請求項１乃至２のいずれか１項に記載の配管に係る接続継手。
【請求項４】
所望長さの管両端を同一方向へ直角に曲折した接続短管が設けられた継手用管を形成したことを特徴とする請求項１記載の配管に係る接続継手。
【請求項５】
継手用管の一方の接続短管の上流側接続部には環状断面く字形パッキンが嵌挿された内周環状溝を形成し、他方の接続短管の下流側接続部には他の継手用管の接続短管の内周環状溝に嵌合係止する外周突起を形成してなることを特徴とする請求項１乃至４のいずれか１項に記載の配管に係る接続継手。
【請求項６】
接続された複数継手用管の折曲接続部分が折曲伸縮を可能とし、この一方の継手用管の上流側接続短管を排水トラップとの接続の接続管と回転可能な接続部とし、他方の継手用管の下流側接続短管を下水管との接続の下水接続管と回転可能な接続部とすることを特徴とする請求項１乃至５のいずれか１項に記載の配管に係る接続継手。
【請求項７】
少なくとも２本の継手用管がこの相互に向い合う接続短管を接続して回転自在とする折曲接続部分を構成し、この一方の継手用管の上流側接続短管を排水トラップに接続する水平面の回転平面とする接続部が設けられた接続管との回転可能な接続部とし、他方の継手用管の下流側接続短管を下水管との接続の下水接続管と回転可能な接続部とする、接続された複数継手用管の折曲伸縮を可能とするとともに施工位置ズレを調整可能とすることを特徴とする請求項１乃至５のいずれか１項に記載の配管に係る接続継手。
【請求項８】
所望長さの管両端を４５度に曲折し、且つこの相互を９０度の偏向とする接続短管が設けられた継手用管を形成し、少なくとも３本の継手用管が相互に向い合う接続短管同志を接続して回転自在とする折曲接続部分とし、一方の継手用管の上流側接続短管を排水トラップとの接続の接続管の４５度に曲折した端部との回転可能な接続部とするとともに、他方の継手用管の下流側接続短管を下水管との接続の下水接続管の４５度に曲折した端部との回転可能な接続部とし、接続された複数継手用管の折曲伸縮を可能とするとともに、施工位置ズレを調整可能とすることを特徴とする配管に係る接続継手。